(57)【特許請求の範囲】
【請求項１】
空気中の塵埃を捕集する着脱可能なエアフィルタと、前記エアフィルタを清掃する清掃機構と、空気調和機本体の試運転を促す所定のスイッチと、前記所定のスイッチが操作されたときに本体の試運転が開始されるものと判定するとともに運転開始信号を出力する運転開始判定手段とを備え、前記清掃機構は、前記エアフィルタの風上側に配されると共に前記エアフィルタに沿って移動可能な吸引ノズルと、前記吸引ノズルに連通された吸引装置と、前記吸引装置の排気側に接続された排気ダクトを具備し、前記運転開始判定手段からの出力により、前記清掃機構を動作させ、前記吸引ノズルが前記エアフィルタに沿って移動するようにし、前記吸引ノズルの移動が終了したあとに本体の試運転を開始するようにした空気調和機。
【請求項２】
清掃機構の動作が完了したかどうかを判定する清掃機構動作完了判定手段を備え、前記清掃機構動作完了判定手段と運転開始判定手段からの出力により、前記清掃機構を動作させるようにした請求項１に記載の空気調和機。
【請求項３】
清掃機構動作完了判定手段からの出力により清掃機構の動作が完了したかどうかを記憶する清掃機構動作完了有無記憶手段を備え、前記清掃機構動作完了有無記憶手段と運転開始判定手段からの出力により、前記清掃機構を動作させるようにした請求項２に記載の空気調和機。
【請求項４】
清掃機構動作完了有無記憶手段に記憶された情報を消去する清掃機構動作完了有無記憶消去手段を備えた請求項３に記載の空気調和機。
【発明の詳細な説明】
【技術分野】
【０００１】
本発明は、エアフィルタの清掃を自動的に行うようにした多機能装置の清掃機構制御方法に関するものである。
【背景技術】
【０００２】
現在、省エネ推進の高まりから、エアフィルタの清掃を自動的に行うようにした空気調和機などの多機能装置が広く普及してきた。
【０００３】
このような多機能装置において、様々な自動清掃機構が考えられている中で、実用性の面からエアフィルタの着脱を可能にした機構が主流となっており、その清掃機構では、日常は、エアフィルタの上流側表面に沿って移動しながら自動清掃を行い、長期的に蓄積するような油成分等の汚れは、エアフィルタを外して直接洗浄する構成を取っている。そしてその構成を取った場合、エアフィルタの着脱に際して人的影響が含まれるようになるため、エアフィルタの装着を容易にする工夫や、装着不備時の不具合に対処できる手段を備えた制御が必要となってきた。
【０００４】
エアフィルタの装着に不備がある場合は、清掃機構を動作させると、その清掃機構がエアフィルタに引っかかり自動清掃が停止する訳だが、エアフィルタの引っかかった状況に応じて清掃機構の駆動方向を選択して清掃機構をエアフィルタの通風路外に駆動させるようにして、早期に不具合を解決して復帰の対処ができるようにしたものがある（例えば、未公開自社出願の特願２００５−２９３５８９参照）。
【発明の開示】
【発明が解決しようとする課題】
【０００５】
しかしながら、前記従来の制御手法を用いた多機能装置においては、エアフィルタの施工に不具合があった場合、その不具合に気が付くタイミングは、運転を開始して多機能装置を使用して１回目の掃除を行なう時、すなわちユーザが多機能装置を利用してからしばらく経ってからの事であり、当然、不具合の対処は施工業者ではなくユーザ自身が対処しなければならず、ユーザにとって利便性に欠けるといった課題があった。
【０００６】
本発明は、上記従来の課題を解決するもので、多機能装置の設置時に、施工業者が居る間にエアフィルタの取り付け不具合を発見し、対処することができ、ユーザの利便性が高い多機能装置の清掃機構制御方法を提供することを目的とする。
【課題を解決するための手段】
【０００７】
前記従来の課題を解決するために、本発明の多機能装置の清掃機構制御方法は、空気中の塵埃を捕集する着脱可能なエアフィルタと、前記エアフィルタを清掃する清掃機構と、多機能装置本体の運転開始を判定する運転開始判定手段とを備えた多機能装置の清掃機構制御方法において、前記清掃機構は、前記エアフィルタの風上側に配されると共に前記エアフィルタに沿って移動可能な吸引ノズルと、前記吸引ノズルに連通された吸引装置と、前記吸引装置の排気側に接続された排気ダクトを具備し、前記運転開始判定手段からの出力により、前記清掃機構を動作させるようにしたもので、施工業者が多機能装置を据え付けた後に行なう試運転時に、所定のスイッチを操作すると、運転開始判定手段が本体の運転が開始されたと判定し、清掃機構が動作するので、万一エアフィルタの装着不備などがあっても、施工業者が居る間にその装着不備が発見され、早期に不具合に対応することができる。
【０００８】
また、本発明の空気調和機は、請求項１〜４のいずれか１項に記載の多機能装置の清掃機構制御方法で制御されるもので、万一、据付時にエアフィルタの装着に不具合があって
も、施工業者が居る間にそれが改善されるので、使用者が後で、高所に取り付けられた空気調和機のエアフィルタを装着しなおすなどといった手間をかける必要が無く、使用勝手の良い空気調和機を提供できるものである。
【発明の効果】
【０００９】
本発明の多機能装置の清掃機構制御方法は、多機能装置を据え付けたときにエアフィルタの装着に不具合があっても、施工業者が多機能装置を据え付けた後に行なう試運転時に、清掃機構が駆動されるので、その不備が即座に発見され、施工業者が居る間に不具合を対処することができ、ユーザの利便性が高まる。
【発明を実施するための最良の形態】
【００１０】
第１の発明は、空気中の塵埃を捕集する着脱可能なエアフィルタと、前記エアフィルタを清掃する清掃機構と、多機能装置本体の試運転時に、所定のスイッチを操作すると、運転開始判定手段が本体の運転が開始されたと判定する運転開始判定手段とを備えた多機能装置の清掃機構制御方法において、前記清掃機構は、前記エアフィルタの風上側に配されると共に前記エアフィルタに沿って移動可能な吸引ノズルと、前記吸引ノズルに連通された吸引装置と、前記吸引装置の排気側に接続された排気ダクトを具備し、前記運転開始判定手段からの出力により、前記清掃機構を動作させるようにしたもので、施工業者が多機能装置を据え付けた後に行なう試運転時に、所定のスイッチを操作すると、運転開始判定手段が本体の運転が開始されたと判定し、清掃機構が動作するので、万一エアフィルタの装着不備などがあっても、施工業者が居る間にその装着不備が発見され、早期に不具合に対応することができる。
【００１１】
第２の発明は、特に、第１の発明の清掃機構の動作が完了したかどうかを判定する清掃機構動作完了判定手段を備え、前記清掃機構動作完了判定手段と運転開始判定手段からの出力により、前記清掃機構を動作させるようにしたもので、施工業者が多機能装置を据え付けた後に行なう試運転時に、清掃機構を駆動させてエアフィルタの装着不備などがチェックされ、ユーザが使用する時には、エアフィルタが必ず正常に装着されているので、ユーザの利便性を高めることができる。
【００１２】
第３の発明は、特に、第２の発明の清掃機構動作完了判定手段からの出力により清掃機構の動作が完了したかどうかを記憶する清掃機構動作完了有無記憶手段を備え、前記清掃機構動作完了有無記憶手段と運転開始判定手段からの出力により、前記清掃機構を動作させるようにしたもので、停電等で電源がリセットされた場合においても、施工業者が、据付時に清掃機構を駆動させたことを記憶させておくことができる。
【００１３】
第４の発明は、特に、第３の発明の清掃機構動作完了有無記憶手段に記憶された情報を消去する清掃機構動作完了有無記憶消去手段を備えたもので、組み立て工程でエアフィルタの装着状態を確認するために清掃機構を動作させても、工場出荷前に、清掃機構動作完了有無の情報を消去しておけば、市場で確実に、施工業者が居る間に清掃機構を駆動させることができる。
【００１４】
第５の発明は、請求項１〜４のいずれか１項に記載の多機能装置の清掃機構制御方法で制御される空気調和機であって、万一、据付時にエアフィルタの装着に不具合があっても、施工業者が居る間にそれが改善されるので、使用者が後で、高所に取り付けられた空気調和機のエアフィルタを装着しなおすなどといった手間をかける必要が無く、使用勝手の良い空気調和機を提供できるものである。
【００１５】
以下、本発明の実施の形態について、図面を参照しながら説明する。なお、この実施の形態によって本発明が限定されるものではない。
【００１６】
（実施の形態１）
図１は、本発明の第１の実施の形態における多機能装置の清掃機構の概略図、図２は、同清掃機構の制御方法を示すブロック図、図３は、同制御方法を示すフローチャートを示すものである。
【００１７】
図１において、２５は、空気調和機の室内機などといった多機能装置の本体（図示せず）に搭載された清掃機構で、清掃機構２５は、着脱自在で塵埃を捕集するエアフィルタ１１の清掃を自動的に行うために、エアフィルタ１１の上流側表面に堆積した塵埃を吸引する吸引ノズル１３と、吸引ノズル１３が左右方向にかつエアフィルタ１１に沿って移動できるようにガイドするガイド部１２と、吸引ダクト１４を介して吸引ノズル１３と連通する吸引装置１５と、一端が吸引装置１５の排気側に接続され、他端が室外に開放した排気ダクト１６と、吸引ノズル１３を左右方向に移動させる駆動手段１８から構成されている。
【００１８】
そして、吸引装置１５及び駆動手段１８を動作させることにより、吸引ノズル１３がエアフィルタ１１上を、一端から他端に向かって移動しながら、吸引ノズル１３からエアフィルタ１１に堆積した塵埃が吸い込まれ、その吸い込まれた塵埃は、吸引ダクト１４、吸引装置１５を経て、排気ダクト１６から外部に放出されるもので、エアフィルタ１１近辺の塵埃が自動的に取り除かれるため、簡単に清潔になるという構造の清掃機構である。
【００１９】
図２、図３において、施工業者が多機能装置を所定の場所に据え付け、多機能装置にエアフィルタ１１をセットしてから試運転をすべく、リモコン（図示せず）や試運転ボタン（図示せず）等所定のスイッチを操作して、多機能装置の運転を開始する（ステップ３１）と、多機能装置の運転開始を判定する運転開始判定手段２１から、運転開始信号が出力される。
【００２０】
ここで、もし清掃機構２５の吸引ノズル１３が一往復動作完了していなければ、清掃機構動作完了有無記憶手段２３から、清掃機構動作完了無信号が出力され（ステップ３２）、多機能装置を運転させる前に、エアフィルタ１１の装着の正誤を確認するべく、清掃機構部駆動信号出力手段２４により吸引ノズル１３を強制的に一往復させる（ステップ３３）。
【００２１】
そして清掃機構動作完了判定手段２２により、清掃機構２５の吸引ノズル１３の一往復動作完了が判定されると、清掃機構動作完了有無記憶手段２３に清掃機構動作完了有と記憶させてから（ステップ３４）、多機能装置の運転を開始させる（ステップ３５）。
【００２２】
もし清掃機構２５の吸引ノズル１３を一往復させたときにエアフィルタ１１が誤って装着されていれば、吸引ノズル１３がエアフィルタ１１に引っかかり、左右方向への移動ができなくなるため、エラーランプ等（図示せず）に信号を送り、施工業者に不具合を知らせて、対応を促すようにすればよい。エアフィルタ１１に引っかかった場合や、清掃機構２５の吸引ノズル１３の一往復動作完了する前に停止した場合は、清掃機構動作完了有無記憶手段２３に清掃機構動作完了有信号を記憶させないようにする。
【００２３】
また、清掃機構２５の吸引ノズル１３の一往復動作が既に完了している場合は、清掃機構動作完了有無記憶手段２３に清掃機構動作完了有信号は既に一往復動作完了されたと記憶されているため（ステップ３２のＹ）、運転開始後は（ステップ３１）通常通りに多機能装置の運転を開始する（ステップ３５）。
【００２４】
以上のように、本実施の形態においては、運転開始を判定する運転開始判定手段２１と
、清掃機構２５の吸引ノズル１３の動作が完了したかどうかを判定する清掃機構動作完了判定手段２２と、清掃機構動作完了判定手段２２からの出力により清掃機構２５の動作が完了したかどうかを記憶する清掃機構動作完了有無記憶手段２３からの出力により清掃機構２５を動作させるため、清掃機構２５が１度も動作していなければ、多機能装置の運転開始時に清掃機構２５を動作させる制御であるため、エアフィルタ１１の装着に不具合があった場合でも、施工業者が多機能装置を据え付けた後に行なう試運転時に、多機能装置を運転する前に吸引ノズル１３を一往復駆動させてエアフィルタ１１の装着の正誤を確認するようにしたため、施工業者が居る間にエアフィルタ１１の装着不備を見付けられ、早期に不具合に対応することができ、その結果ユーザの利便性が高まる。
【００２５】
なお、特に図示しないが、前記清掃機構動作完了有無記憶手段２３に記憶された情報を消去する清掃機構動作完了有無記憶消去手段を備え、多機能装置の組み立て工程でエアフィルタ１１の装着状態を確認するために清掃機構２５を動作させても、工場出荷前に、清掃機構動作完了有無記憶消去手段で、清掃機構動作完了有無記憶手段２３に記憶された清掃機構動作完了した旨の情報を消去しておけば、市場で確実に、施工業者が居る間に清掃機構２５を駆動させることができる。
【００２６】
また、上記第１の実施の形態で述べた清掃機構制御方法を、空気調和機（図示せず）に用いた場合、万一、据付時にエアフィルタの装着に不具合があっても、施工業者が居る間にそれが改善されるので、使用者が後で、高所に取り付けられた空気調和機のエアフィルタを装着しなおすなどといった手間をかける必要が無く、使用勝手の良い空気調和機を提供できるものである。
【産業上の利用可能性】
【００２７】
以上のように、本発明の多機能装置の清掃機構制御方法は、多機能装置の設置時に、施工業者が居る間にエアフィルタの取り付け不具合を発見し、対処することができ、利便性に優れているもので、エアフィルタを備えた空気調和機や空気清浄機などの各種多機能装置に広く適用できるものである。
【図面の簡単な説明】
【００２８】
【図１】本発明の実施の形態１における多機能装置の清掃機構の概略図
【図２】同清掃機構の制御方法を示すブロック図
【図３】同制御方法を示すフローチャート
【符号の説明】
【００２９】
１１  エアフィルタ
１３  吸引ノズル
１４  吸引ダクト
１５  吸引装置
１６  排気ダクト
２１  運転開始判定手段
２２  清掃機構動作完了判定手段
２３  清掃機構動作完了有無確認手段
２４  清掃機構部駆動信号出力手段
２５  清掃機構
【図１】
0004779592.tif 000002
【図２】
0004779592.tif 000003
【図３】
0004779592.tif 000004